(57)【要約】      （修正有） 【課題】着衣時に排泄物を吸収保持する下着であって、股領域に対する密着度を向上させ、さらに、臀部や足回りを解放する下着構造を提供する。【解決手段】吸収保持部２と帯部３と牽引部４から成り、吸収保持部は、股領域に当接し、積層部で形成され、端縁部８に弾性部６ａを形成し、接合部５ａ、５ｂを設け、帯部は、弾性部６ｂ、６ｃを形成し、接合部５ｄ、５ｅを設け、牽引部は、吸収保持部を帯部の背側部に牽引し、弾性部６ｄを形成し、接合部５ｇ、５ｈを設け、着衣時に、吸収保持部と帯部と牽引部の各接合部で着脱自在に接合するように構成されている。【選択図】図１
0003205471.tif 000002
【実用新案登録請求の範囲】
【請求項１】
使用者の股領域に当接し、排泄物を吸収保持する下着構造であって、
前記下着構造は、吸収保持部（２）と帯部（３）と牽引部（４）から成り、
前記吸収保持部（２）は、前記使用者の前記股領域に当接し、積層部（７）で形成され、端縁部（８）に弾性部（６）を形成し、接合部を（５）設け、
前記帯部（３）は、前記弾性部（６）を形成し、前記接合部（５）を設け、
前記牽引部（４）は、前記吸収保持部（２）を前記帯部（３）の背側部（１５）に牽引し、前記弾性部（６）を形成し、前記接合部（５）設け、
着衣時に、前記吸収保持部（２）と前記帯部（３）と前記牽引部（４）の各前記接合部（５）で着脱自在に接合するように構成されている
ことを特徴とする下着構造。
【請求項２】
前記吸収保持部（２）の前記背側部（１５）の前記接合部（５）と前記牽引部（４）の片方の前記接合部（５）が固着されている
ことを特徴とする請求項１記載の下着構造。
【請求項３】
前記吸収保持部（２）の前記背側部（１５）の前記接合部（５）と前記牽引部（４）の片方の前記接合部（５）部が固着され、
前記吸収保持部（２）の腹側部（１４）の前記接合部（５）と前記帯部（３）の片方の前記接合部（５）が固着されている
ことを特徴とする請求項１、請求項２記載の下着構造。
【考案の詳細な説明】
【技術分野】
【０００１】
本考案は、着衣時に排泄物を吸収保持する下着であって、股領域に対する密着度を向上させ、さらに、臀部や足回りを解放する下着構造に関する。
【背景技術】
【０００２】
今日までのアンダーパンツは、保温や汗の吸収などの機能や美的な表現など、求められる形状や機能は時代と共に変化し多用化してきた。例えば、ティーバック型のアンダーパンツはファッション性だけを追求する特異な下着である。
また、アンダーパンツの発明以前においては、褌が使用されていた。
褌は、足回りや臀部を解放する構造で、身体動作や股間部への密着性においては機能的であるが、排尿や排便、装着が面倒である。
そこで、横紐に布を通した越中褌が、通気性や使い廻しの便利性により支持されている。
しかし、保温や排泄物の吸収保持には不向きである。
【０００３】
現在、高齢化社会を向かえ、排泄物を吸収保持する下着やオムツの需要が拡大している。
そこで、排泄物を吸収保持する対策として、従来のアンダーパンツの改良や幼児用のオムツの大人用への応用、チョイ漏れや失禁用のパッドなどが新に開発されている。
【０００４】
そこで、排泄物を吸収保持するアンダーパンツの分野では、高吸収性繊維素材を使用する多層構造が吸収力を向上させている。
【０００５】
しかし、排泄物を吸収保持するアンダーパンツの問題点は、多層に形成することで吸収力を向上させるので厚みを増し、加重になるために腰回りの締め付けが求められ、全体にだぶついた外見がデザイン性を損なっている。
つまり、既存の形状にこだわり部分的な改良に終始し、抜本的な改良の視点が欠けている。
【０００６】
次に、吸収パッドは、高吸収性ポリマーを使用することで吸収力を向上させ、女性用では生理用品と同形態で吸収力を強化し、男性用ではペニスを包む形状や包まない形状のパッドをアンダーパンツ内に配置させる使用形態である。
また、男女共に排出量に対して吸収量が異なるパッドが多種類用意されている。
【０００７】
しかし、排泄物を吸収保持するパッドの問題点は、女性用では生理用品を基に吸収力を強化する対応であり、吸収される量に対する下着の保持力不足が横漏れを招き、男性用では排尿後のペニス収納時の液だれや女性用と連想される使用形態に対する違和感がある。
現在、基本的な視点からの改良が求められている。
【０００８】
さらに、オムツの分野においても不織布や吸収性ポリマーの使用により、使い捨ての使用形態が便利性を著しく向上させている。
使い捨てオムツは、テープ止めタイプとパンツタイプに大別される。
【０００９】
しかし、テープ止めタイプのオムツの問題点は、装着時のテープ止めの不備による横漏れや腹部と臀部を前後で挟んで包む構造が隙間を作り糞便が拡散し、洗浄や処理に手間がかかり介助者の負担が増している。
そもそも、幼児を対象として開発された使い捨てオムツであり、大人の使用に対する配慮が無く、基本的な視点からの改良が求められている。
また、パンツタイプの問題点は、幼児のトレーニングパンツ的な使用や、歩行可能な高齢者や障害者が対象であり、吸収体の密着度がゆるいために身体との隙間からの漏れや匂い、排泄物の重さによりずり下がる等、特に外見上大人の使用には限界を抱える。
そもそも、幼児を対象として開発された使い捨てパンツタイプオムツであり、大人の使用に対する配慮が無く、基本的な視点からの改良が求められている。
【００１０】
昨今、注目されている排尿障害は、事故や手術の後遺症、病気の影響、出産や老化など、いつ誰におこるかも知れないトラブルとして、認識されてきている。
また、チョイ漏れや失禁の問題は、高齢者から中年層、さらに、生活環境の変化により若者の対象者も増加の傾向にある。
さらに、高齢者の増加は、介護環境下でのオムツの需要を拡大している。
【００１１】
本考案者は、腰部や臀部、股間部などを包み、覆うアンダーパンツやオムツの形状に問題点を見出すと共に臀部や足回りの圧迫を解放する形状であるＴバックや褌の形状に解決策を求めるものである。
しかし、Ｔバックのアンダーパンツや褌は、デザイン性に特化したものであり、その吸水性や保時力などの機能を備えていない。
【００１２】
そこで、褌の形状を基にした尿漏れ対策の褌の改良が提案されていた。
まず、股部が狭められフィット感を向上させ、陰部当接部を二重にすることで吸収力を向上させ、ペニスの出し入れ用の開口部を形成する改良である。（特許文献１）
【００１３】
この提案は、従来の越中褌の前垂れ部に面ファスナーを採用することで二重にする構造で解決を図るものであり、極少量の尿に対応することは可能である。
しかし、従来の褌の形状の改良であり、尿吸収を目的とするには、横漏れや密着度に不安があり十分な対応が出来る構造ではない。
【００１４】
次に、一般に液体などを保持すための使い捨てオムツは、単体であり、予め所定の形状で何かしらの取り付けのシステムが設けられている。
そこで、股領域に取り付け維持できるストラップでパットを維持する、使い捨てのパッドの改良が提案されている。（特許文献２）
【００１５】
この提案は、ストラッップで調節自在にフィット性を適切にすることで、使用者の体の大きさに対して常に調節自在に保持するもので、パンツ型とテープ型の効果を備えた構造である。
しかし、長方形状のパッドを左右のトラップで着脱自在に調節保持する構造は、トラップだけでの保持力に問題があると共にパッドの周辺部の密着が十分でない。
【００１６】
さらに、運動時等でも男性器の安定性を良好に保つことができ、失禁時の尿や便汁の漏れを確実に防ぐことが出来る褌型失禁パンツが提案されている。（特許文献３）
【００１７】
この提案は、着用者の下腹部から股間を通って腰部に縦回しされる縦褌と、この縦褌の縦廻し状態を保持するための腰腹部に横廻しされる横褌とにより構成されている。
しかし、縦褌と股間の隙間を密着させるには、常に横褌の上下の位置に左右され、しかも運動時の置いての隙間への密着を維持するには横褌の締め付け状態を確実に維持することが求められ、現実的ではない。
【先行技術文献】
【特許文献】
【００１８】
【特許文献１】実用新案公報昭６０−１１３３０１号公報
【特許文献２】特開平６−２１８００９号公報
【特許文献３】実用新案登録第３１９４１０２号公報
【考案の概要】
【考案が解決しようとする課題】
【００１９】
現在、排泄物を吸収保持するアンダーパンツや褌、オムツは、従来の形状や使用形態を維持した改良であり、基本的な視点からの改良は見あたらない。
今日、各種素材が開発され、充実する素材環境下にあり、従来のアンダーパンツや褌、オムツの形状や使用形態に依存する必要はなく、多様な機能の組み合わせが可能になり、新しい視点での自由な発想を基に排泄物を吸収保持する下着の新規の構造は可能である。
【００２０】
本考案の第一の視点は、穿く下着から装着する下着への転換を図るものである。
本考案の第二の視点は、パンツ型の下着から褌型の下着への転換を図るものである。
本考案の第三の視点は、洗濯する下着から使い捨ての下着への転換を図るものである。
【００２１】
本考案は、排泄物を吸収保持する吸収保持部と帯部、牽引部から構成され、各部を接合させる構造が装着する下着を実現する。
また、吸収保持部を股領域に当接させ帯部に牽引部で牽引する仕様形態が褌様の形状の下着を実現する。
さらに、本考案は、構造上の考案であり周知の素材を選択し形成出来るので、洗濯用の下着や使い捨ての下着を実現する。
【課題を解決するための手段】
【００２２】
前記の課題を解決する本考案の下着構造は、使用者の股領域に当接し、排泄物を吸収保持する下着構造であって、前記下着構造は、吸収保持部（２）と帯部（３）と牽引部（４）から成り、前記吸収保持部（２）は、前記使用者の前記股領域に当接し、積層部（７）で形成され、端縁部（８）に弾性部（６）を形成し、接合部を（５）設け、前記帯部（３）は、前記弾性部（６）を形成し、前記接合部（５）を設け、前記牽引部（４）は、前記吸収保持部（２）を前記帯部（３）の背側部（１５）に牽引し、前記弾性部（６）を形成し、前記接合部（５）設け、着衣時に、前記吸収保持部（２）と前記帯部（３）と前記牽引部（４）の各前記接合部（５）で着脱自在に接合するように構成されていることを特徴とする。
【００２３】
前記の課題を解決する本考案の下着構造は、前記吸収保持部（２）の前記背側部（１５）の前記接合部（５）と前記牽引部（４）の片方の前記接合部（５）が固着されていることを特徴とする。
【００２４】
前記の課題を解決する本考案の下着構造は、前記吸収保持部（２）の前記背側部（１５）の前記接合部（５）と前記牽引部（４）の片方の前記接合部（５）部が固着され、前記吸収保持部（２）の腹側部（１４）の前記接合部（５）と前記帯部（３）の片方の前記接合部（５）が固着されていることを特徴とする。
【考案の効果】
【００２５】
本考案の第一の効果は、排泄物を吸収保持する吸収保持部、腰部に保持する帯部、帯部と吸収保持部を接合させる牽引部など、機能別に各部を分解する構成にしたので、使用時に各部を接合させることで完成する、褌でもなくアンダーパンツでもない下着の新ジャンルを創出する。
【００２６】
本考案の第二の効果は、機能別に各部を分解する構成にし、使用時に各部を接合させることで完成させる使用形態にしたので、一部だけを取り替えることが出来るので、経済性に優れている。
例えば、一部だけの洗濯で経済的に清潔性を保ち、一部だけの使い捨てが経済的な効果を発揮する。
また、形状や色、デザイン等を多種多様に形成し組み合わせることが出来るので、ファッション性を高めると共に個々人の嗜好を満足させる。
【００２７】
本考案の第三の効果は、排泄物を吸収保持する吸収保持部を牽引部で背側部の帯部に牽引し保持するようにしたので、密着度を向上させ漏れを防止すると共に吸収保持部の再調整が出来るので更なる密着度の向上を図る。
【００２８】
本考案の第四の効果は、吸収保持部を腹部側から背側部に牽引する使用が、腹部を背側部に押し圧するので、骨盤を前傾させる効果を生じ姿勢を正常に導く。
【００２９】
本考案の第五の効果は、吸収保持部が肛門部に係合するので、肛門部分を意識する運動が、骨盤底筋を強化し失禁に対する予防対策が出来る。
【００３０】
本考案の第六の効果は、本考案の褌様の構造が臀部や足回りの圧迫を解放するので、動作を容易にすると共に運動能力を向上させると共に高齢者の転倒防止に貢献する。
また、臀部や足回りの圧迫からの解放は、寝返りを容易にするのでの不眠を改善する。
【００３１】
本考案の第七の効果は、布帛や不織布など周知の素材を基に形成出来るので、布帛を用いて洗濯できるアンダーパンツや不織布を用いて使い捨てのアンダーパンツ、オムツやチョイ漏れパンツなど、多様なニーズに対応する基本的な構造を実現する。
【００３２】
本考案の第八の効果は、特に男性用の吸収保持部にスリット部を形成し、ペニスの出し入れがスムーズに出来るので、排尿直後のペニスの収納直後に発生するチョイ漏れに対応し、さらに、吸収保持部の端縁部の収縮性弾性体が横漏れを防ぎ、背側部に牽引する使用形態が排泄物の滲みだしを防止する。
【図面の簡単な説明】
【００３３】
【図１】図１は、本考案の下着構造１の例を示す斜視図である。
【図２】図２は、図１のＸ−Ｘ線の断面図である。
【図３】図３は、図１の接合部の例を示す断面図である。
【図４】図４のａは、下着構造１を人体に装着した例を示す略正面図である。        図４のｂは、下着構造１を人体に装着した例を示す略背面図である。
【図５】図５は、本考案の下着構造１を使い捨てオムツに適用する例を示すオムツ型下着構造２１の斜視図である。
【図６】図６は、図５のＹ−Ｙ線上の断面図である。
【図７】図７は、本考案の下着構造１を使い捨てパッドに適用する例を示すパッド型下着構造４１の斜視図である、
【図８】図８は、図７のＺ−Ｚ線上の断面図である。
【考案を実施するための形態】
【００３４】
以下に、本考案の実施の形態の例を示し図面を基に説明する。
【００３５】
本考案は、周知の素材を基に、吸収保持部２、帯部３、牽引部４の機能別に構成し、使用時に各部を組み立て、特に背側部１４に牽引することで密着を強化する使用形態を特徴とする。
また、本考案の股領域とは、腹部側から臀部側までを指す。
また、本実施例に特定も限定もするものではない。
【００３６】
本考案は、吸収保持部２の端縁部８に弾性部６を形成し、股領域に対する密着度を向上させると共に漏れを防止する。
さらに、腰部に係合する帯部３、帯部３と吸収保持部２を接合部５で接合させる牽引部４など、機能別の各部で構成され各部を着脱自在に接合させる構造を特徴とする。
【００３７】
詳しくは、吸収保持部２、帯部３、牽引部４に各弾性部６を形成し、各部間の接合具合を調整すると共に密着度を向上させる。
さらに、吸収保持部２を帯部３の背側部１５に牽引部４で牽引する動的な使用形態の作用や効果が、保持力を向上させると共に密着度の向上を図るものである。
また、吸収保持部２を股領域に密着させ保持する構造は、褌構造に類似する形状を獲得することで、脚回りの圧迫を解消する
【００３８】
本考案は、構成される素材や素材の形成法、素材の組み合わせなど特定も限定もするも
のではなく、周知の素材が選択され使用されるものであり、詳細な説明を省略する。
【実施例１】
【００３９】
実施例１は、図１、図２、図３、図４を基に説明する。
図１は、本考案の下着構造１の例を示す斜視図である。
図２は、図１のＸ−Ｘ線の断面図である。
図３は、図１の接合部の例を示す略断面図である。
図４のａは、下着構造１を人体に装着した例を示す略正面図である。
図４のbは、下着構造１を人体に装着した例を示す略背面図である。
【００４０】
実施例１は、吸収保持部２、帯部３、牽引部４で構成され、各部に形成する接合部５を
用いて接合する本考案の基本的な技術的思想の例を示す。
また、実施例１は、洗濯を前提とする布帛１５を主体とする素材を使用し、接合部５に面ファスナー５ａを使用する例を示す。
また、本考案の下着構造１に示す素材は、実施例１に限定するものではない。
また、不織布１６や面テープを使用し、使い捨ての使用形態も可能である。
本考案の下着構造１は、排尿障害や高齢者、障害者が好適に使用出来る下着を提供するものであるが、吸収保持部２を薄い構造にすることで一般的な使用も可能である。
【００４１】
実施例１は、周知の排泄物を吸収保持するアンダーパンツの問題点と比較し、新規の排泄物を吸収保持する本考案の下着構造１をアンダーパンツに適用する例を示し説明する。
以下、排泄物を吸収保持するアンダーパンツをアンダーパンツと表記する。
【００４２】
そもそも、アンダーパンツは、三か所の孔が開いた腹部から臀部を覆う袋体であり、一か所の孔は腰回りに係合しゴムで落下を防ぎ、他の二か所から両脚を出す構造は排泄物を吸収保持する視点から導かれた構造ではない。
【００４３】
アンダーパンツの第一の問題点は、覆う構造である。
アンダーパンツは、腹部から臀部を包む形状や圧迫する形状に大別される。
まず、包む形状であるトランクス型アンダーパンツは、身体に密着せず、特に脚部回りが開いた構造であり内側を二重構造に形成し、内側の多層構造で排泄物を吸収保持する仕組みである。
しかし、内側部分と外側部分がズレやすく、横漏れや滲みだしなどの少量の尿漏れに適していて、外見上を重視する構造である。
また、圧迫する形状のブリーフ型やボクサー型のアンダーパンツは、身体に密着する構造であり股間部を多層構造にすることで排泄物を吸収保持する仕組みである。
しかし、身体を動作する際にアンダーパンツと身体が連動せず、アンダーパンツが身体上を移動し変形するので密着が阻害される。
また、座る際に臀部の部分が伸び後脚部の足回り部分を背側部に引き上げ、座位から立位の際に後脚部の足回り部分がダブつき変形し密着が阻害されるので、排泄物を吸収保持機能が十分に発揮できない。
さらに、身体の動作に抵抗し臀部や脚部に係合する構造は、スムーズな足部の動作を阻害し、老人や運動時の能力低下を招いている。
【００４４】
そこで、図１、図２、図３、図４に示す下着構造１は、排泄物を吸収保持する吸収保持部２を股領域に牽引部４で牽引し密着させる構造にしたので、吸収保持部２と臀部が連動させない構造を獲得し、排泄物の吸収保持を確実に実行する。
つまり、吸収保持部２を牽引部４で牽引し、股領域に密着させ前後に支える褌状の形状を創りだすことで、足回りと臀部の部分を解放し、アンダーパンツが身体の動作に抵抗し密着出来ない構造の問題を解消する。
【００４５】
まず、図１、図２、図３、図４に示す吸収保持部２の説明をする。
図１、図２、図３、図４に示す吸収保持部２は、四層に形成された積層部７を主体とし、縁端部８に弾性部６ａを形成し、三か所の接合部５ａ、接合部５ｂ、接合部５ｃを設ける例を示す。
【００４６】
また、図１、図２、図３、図４に示す積層部７は、肌当接側部１６より撥水層７ａ、第一吸水層７ｂ、第二吸水層７ｃ、防水層７ｄで構成される。
また、撥水層７ａは、肌に直接触れる部分でありサラサラ感を備える素材が好適である。
また、第一吸水層７ｂは、吸水、抗菌、消臭、速乾機能などを備える素材を好適に選択され使用される。
また、第二吸水層７ｃは、吸水、消臭、速乾機能などを備える素材を好適に選択され使用される。
また、防水層７ｄは、漏れを防止する機能を備える素材が好適に選択され使用される。
【００４７】
また、図１、図２、図３、図４に示す積層部７の素材は、周知の素材を選択し好適に使用すれば良く、ここで詳細な素材に特定はしない。
【００４８】
次に、図１、図２、図３、図４に示す吸収保持部２の縁端部８に形成される弾性部６ａの説明をする。
弾性部６ａは、伸縮性弾性素材１１が使用され、吸収保持部２を密着させると共に漏れを防止し保持能力を強化することを目的とするものである。
また、弾性部６ａは、使用者の肌に優しくフィットする素材が好適である。
【００４９】
次に、図１、図２、図３、図４に示す吸収保持部２に設ける接合部５の説明をする。
吸収保持部２に設ける接合部５は、面ファスナー５ａで形成され、肌非当接側部１４に設け接合部５ａ、接合部５ｂ、接合部５ｃで示すが、形状や大きさ等特定するものではない。
また、各接合は、接合部５ａと接合部５ｄ、接合部５ｂと接合部５ｅ、接合部５ｃと接合部５ｇで行われる例を示す。
【００５０】
次に、図１、図２、図３、図４に示す吸収保持部２に示してはいないが、周知のスリット部を形成しても良く、スリット部には端部に弾性体を形成するなどの工夫を適用することは好ましい。
【００５１】
次に、アンダーパンツの第二の問題点は、腰回りである。
アンダーパンツは、腰部をゴムで締め付け落下を防止する構造で全体に厚めに構成され、特に股間部の多層構造が重量を増し、フィット性の確保のために締め付けの強化が図られ、皮膚の疾患や圧迫することで代謝を損なう問題、通気性や臭気の問題を抱えている。
さらに、外見上もダブついていて、デザイン的に好適ではない。
【００５２】
そこで、図１、図２、図３、図４に示す下着構造１は、排泄物を吸収保持する吸収保持部２を股領域に密着させるために、腹側部１４の吸収保持部２と帯部３を接合させ、背側部１５の帯部３と牽引部４で牽引し接合させ、前後で支持する褌状の形態にしたので、腰部を締め付ける問題を解消する。
また、足回りと臀部の部分を解放する構造は、軽量化を実現すると共に身体動作の自由度を向上させる。
【００５３】
また、図１、図２、図３、図４に示す帯部３は、布帛１５で形成され帯状をなし三か所の接合部５ｄ，接合部５ｅ、接合部５ｆを設け、続いて二か所の弾性部６ｂ、弾性部６ｃを形成する例を示す。  
また、帯部３は、吸収保持部２や牽引部４と共に異なる色や異なるデザインを組み合わせることで仕様に多様性を獲得することが出来る。
【００５４】
次に、帯部３に形成される弾性部６ｂ、弾性部６ｃは、伸縮性弾性素材１１が使用され、身体への密着を調整し密着度を向上させることを目的とする。
また、弾性部６ｂ、弾性部６ｃは、部分的に形成するものを示しているが全体を弾性部（６）で形成しても良い。
また、幅や厚さ、長さ、色など特定するものでなく、デザイン性にとんだ選択が出来る。
【００５５】
次に、帯部３に設ける三か所の接合部５は、面ファスナー１８で形成し、接合部５ｄ  ，接合部５ｅ、接合部５ｆで示し、形状や大きさ等特定するものではない。
また、各接合は、接合部５ｄと接合部５ａ、接合部５ｅと接合部５ｂ、接合部５ｇと接合部５ｃが接合する。
【００５６】
次に、アンダーパンツの第三の問題点は、脚回りである。
トランクス型のアンダーパンツは、二層構造であり脚回りを締め付けないが、臀部と脚回りの側面部分が身体の動作に抵抗する。
ブリーフ型やボクサー型のアンダーパンツは、全体に厚めに構成され、特に股間部の多層構造は排泄物の吸収量が増すとズリ下がる傾向にあり、密着度に影響し横漏れや滲みだしの原因となるので、脚回りの締め付けを強化する傾向にあり、皮膚の疾患や代謝を損なう問題が生じる。
また、女性用では、ブリーフ型やボクサー型同様に、全体に厚めに構成され、特に股間部の多層構造は排泄物の吸収量が増すとズリ下がる傾向にあり、密着度に影響し横漏れや滲みだしの原因となっている。
特に、各種パッドを内側に併用する際は、横漏れを防止するために脚回りの締め付けが求められる。
つまり、排泄物の吸収量の増加でズリ下がる対策は、腰部で支えるか脚回りを締め付ける手段で対応してきた。
【００５７】
そこで、図１、図２、図３、図４に示す下着構造１は、腹側部１４の吸収保持部２と帯部３を接合させ、背側部１５の牽引部４と帯部３を接合させ、牽引部４で牽引し保持する前後で支える褌状の形状が、足回りを締め付ける問題を解消する。
また、足回りと臀部の部分を排除する構造は、脚部の動作を容易にするので特に睡眠時の自由な動作が好適に作用する。
【００５８】
まず、図１、図２、図３、図４に示す牽引部４の説明をする。
牽引部４は、布帛１５で形成され両端に接合部５ｇ、接合部５ｈを設け、弾性部６ｄを形成する例を示す
また、牽引部４は、吸収保持部２や帯部３と共に異なる色や異なるデザインを組み合わせることで仕様に多様性を獲得することが出来る。
また、吸収保持部２だけを支持するので全体の重量が軽減され、牽引部４に加わる負担も軽減されている。
【００５９】
次に、牽引部４に形成される弾性部６ｄは、伸縮性弾性素材１１が使用され、身体に係合させ密着後を向上させることを目的とする。
また、弾性部６ｄは、部分的に形成するものを示しているが全体に形成しても良く幅や厚さなど特定するものでない。色やデザイン性をもとに変化にとんだ選択が出来る。
【００６０】
また、牽引部４に形成される二か所の接合部５ｇ、接合部５ｈは、面ファスナー１８で形成するが、形状や配置場所等特定するものではない。
また、各接合は、接合部５ｇと接合部５ｃ、接合部５ｈと接合部５ｆが接合する例を示す。
【００６１】
次に、排泄物を吸収保持するアンダーパンツの第四の問題点は、穿く行為である。
アンダーパンツを穿く行為は、幼児から苦労して身に着ける動作であるが、老人や障害者にとっては幼児の様に苦労する動作の一つである。  
また、排泄物を吸収保持する仕様は、全体にダブつき重量も増す構造であり使用者にとっては負担である。
この問題は、二本足の一本で身体を支え、他の一本を一か所の穴に入れて引き上げ、さらに他の一本を一か所の穴に入れて引き上げる動作の複雑さにある。
【００６２】
そこで、図１、図２、図３、図４に示す下着構造１は、吸収保持部２、帯部３、牽引部４に予め分解した構成にし、使用時に組み合わせる使用形態にしたので、身体の状態にあわせて装着できる。
また、吸収保持部２、帯部３、牽引部４に各接合部を形成し使用者が容易な接合のしかたを選択出来る使用形態が更なる使い勝手を向上させると共に装着後や排尿時に接合の調整が出来るので密着を確実にする。
また、帯部３、牽引部４に形成する弾性部６がフィット性を向上させる。
【実施例２】
【００６３】
実施例２は、図５、図６を用いて説明する。
図５は、本考案の下着構造１を使い捨てオムツに適用する例を示すオムツ型下着構造２１の斜視図である。
図６は、図５のＹ−Ｙ線上の断面図である。
【００６４】
実施例２は、吸収保持部２２、帯部２３、牽引部２４で構成され、各部に形成する接合部２５を用いて接合し、吸収保持部２２と牽引部２４は固着されている例を示す。
また、実施例２は、使い捨てを前提とする不織布１６を主体とする素材を使用し、接合部２５ｂ、接合部２５ｃ、接合部２５ｅに面テープ３８を使用する例を示す。
また、面テープ３８は、隔離紙を使用している周知の技術出あり、特に明示はしない。
【００６５】
実施例２は、周知の使い捨てオムツの問題点と比較し、新規の排泄物を吸収保持するオムツ型下着構造２１の例を示し説明する。
また、実施例２は、排尿障害や高齢者、障害者が好適に使用出来るオムツを提供するものであるが、吸収保持部２２を薄い構造にすることで一般的な使用にも対応する。
また、実施例２は、周知の素材を使用するものであり性能や形状など特定はしない。
以下、使い捨てオムツをオムツと表記する。
周知の素材を使用し性能や形状など特定はしない。
【００６６】
現在、オムツは、テープ止タイプ、パンツタイプに大別される。
テープ止タイプの使い捨てオムツは、フラットタイプのオムツに面ファスナーの固定部と横漏れ防止のギャザーを一体化させたものである。
また、大人用は、股上部分が大きく、寝た状態の使用者を対象としており、横にしておしりの下にオムツの後部分を差し込み、ギャザーに合わせておしりを乗せ、性器を包むように前部分を当て左右が均等になるようにテープで固定する。
また、テープ止タイプの使い捨てオムツは、パンツタイプより吸収体が大きくて漏れにくいことから、寝たきりの者や就寝用に使用される。
また、パンツタイプのオムツは、子供用が一般的で歩行前の幼児に向いたタイプがある。
現在、高齢化により大人用の使用も増加している。
【００６７】
オムツの第一の問題点は、包む構造である。
まず、テープ止タイプのオムツは、フラットタイプのオムツに面ファスナーの固定部と横漏れ防止のギャザーを一体化させたものである。
つまり、股間部を包み腰回りを強くテープ止めすることで、排泄物をオムツ内に保持し、横漏れをギャザーで防ぐ構造である。
しかし、臀部から腹部まで包み腰回りを強くテープ止めする構造は、腰回り以外の圧迫が十分ではなく、オムツと身体の間に隙間が生じ、広範囲に粘性状の排泄物が拡がり、臭いが拡散し使用者の不快感を誘い、拡がった排泄物が交換時の手間となっている。
【００６８】
そこで、図５、図６に示すオムツ型下着構造２１は、排泄物を吸収保持する吸収保持部２２を股領域に密着させ、牽引部２４で牽引するので、吸収保持部２２が股領域を圧迫し、臀部に拡散しない構造である。
つまり、腹側部１４の吸収保持部２と帯部３を接合させ、背側部１５の帯部３と牽引部２４を接合させるので、前後で支える褌状になり、その際に、吸収保持部２を牽引部４で牽引し保持する使用形態が、吸収保持部２２の身体への密着度を強化し、余分な隙間を創らない構造にしたので、排泄物の拡散を防止する。
また、特に粘着状の排泄物の移動を防ぐので、排泄物が拡がらず、臭いを拡散させず使用者の不快感を解消し、使用感を向上させると共に交換時の手間を軽減することが出来る。
【００６９】
まず、図５、図６に示す吸収保持部２２の説明をする。
図５、図６に示す吸収保持部２２は、四層に形成された積層部２７を主体とし、縁端部２８に弾性部２６ａを形成し、ギャザー部３９を設け、背側部（３５）の吸収保持部２２と片方の牽引部２４と固着する例を示す。
【００７０】
また、図５、図６に示す積層部２７は、肌当接側部２３より撥水層２７ａ、第一吸水層２７ｂ、第二吸水層２７ｃ、防水層２７ｄで構成され、長手方向に筋状の凸凹部２７ｅを形成する例を示す。
また、撥水層２７ａは、肌に直接触れる部分でありサラサラ感を備える素材が好適である。
また、第一吸水層２７ｂは、高吸収性繊維素材３１を使用する例を示すが、吸水、抗菌、消臭、速乾機能など好適な機能が選択され使用される。
また、第二吸水層２７ｃは、高吸収性ポリマー素材３３を使用する例を示すが、吸水、消臭、速乾機能などを備える素材を好適に選択され使用される。
また、防水層２７ｄは、漏れを防止する機能を備える素材が好適に選択され使用される。
また、積層部２７は、四層のものを示すが限定するものではない。
【００７１】
また、図５、図６に示す吸収保持部２２は、周知の技術である長手方向に溝状の凸凹部２７ｅを形成する例を示すが、凸凹の幅や高さや数等特定するものではなく、また、形成しなくても良い。
また、凸凹部２７ｅは波状に形成され、長手方向に形成し排泄物の吸収や保時を確実に行えるように形成するものであり、特に固形状の排泄物を凹部に保持し、液状の排泄物を凸部で吸収することで排泄物の吸収や保時の能率を向上させるものである。
また、凸凹部２７ｅは、短手方向に形成しても良く、使用者のニーズに対応して形成すればよく、さらに、長手方向と短手方向の凸凹部２７ｅを組み合わせ手も良く特定しない。
また、図５、６に示す積層部２７の素材は、周知の素材を好適に選択し組み合わせれば良く、ここで特定も限定もしない。
【００７２】
次に、図５、６に示す吸収保持部２２の縁端部２８に形成される弾性部２６ａの説明をする。
図５、６図に示す弾性部２６ａは、吸収保持部２２の縁端部２８に形成され、伸縮性弾性素材３１を使用し、吸収保持部２２を股領域に密着させると共に漏れを防止することを目的とするものである。
また、弾性部２６ａは、使用者の肌に優しくフィットする素材が好適である。
【００７３】
次に、図５、６図に示す吸収保持部２２に設ける接合部２５の説明をする。
図５、図６に示す吸収保持部２２に設ける接合部２５は、肌非当接側３７に設け面テープ３８で形成する２５ａで示すが、形状や配置場所等特定するものではない。
また、接合部２５ａは、帯体２３の接合部２５ａ、２５ｂと接合し、牽引部２４の接合部２５ｅは帯部２３の接合部２５ｄと接合する。
また、面テープ３８は、隔離紙を使用しているが周知の技術出あり、特に明示はしない。
【００７４】
次に、図５、６図に示す吸収保持部２２に設けるギャザー部３９説明をする。
図５、図６に示す吸収保持部２２に設けるギャザー部３９は、排泄物の横漏れを防止するものである。
また、ギャザー部３９は、周知の技術であり細部についての説明を控える。
【００７５】
オムツの第二の問題点は、腰回りである。
テープ止タイプの使い捨てオムツは、フラットタイプのオムツに面ファスナーの固定部と横漏れ防止のギャザーを一体化させたものである。
つまり、股間部を包み腰回りを強くテープ止めすることで、排泄物をオムツ内に保持し、横漏れをギャザーで防ぐ構造である。
しかし、臀部から腹部まで包む使用形態は、腰部を強くテープ止めするので腹部を迫圧し使用者の呼吸を妨げ、さらに、両脚の動作を困難にしてしまうなどの不快感を生じる。
また、楽な呼吸が出来る止め方ではでは緩くなり横漏れの原因となるので、装着する側の熟練した対応に左右される。
【００７６】
そこで、図５、図６に示すオムツ型下着構造２１は、排泄物を吸収保持する吸収保持部２２を股領域に密着させるために、腹側部３４の吸収保持部２２と帯部２３を接合させ、背側部３５の牽引部２４で、背側部３５に牽引し帯部２３に保持するようにしたので、股領域の前後で支持する使用形態が腰部の締め付けを解消するものである。
また、脚回りと臀部の部分を排除する構造は、帯部２３に加わる重量を軽減すると共に脚回りの圧迫を排除するので、脚の動作が自由になり転倒を予防する。
【００７７】
また、図５、図６に示す帯部２３は、不織布３０で形成され帯状をなし三か所の面テープ３８の接合部２５ｂ，接合部２５ｃ、接合部２５ｄ、を設け、続いて二か所の弾性部２６ｂ、２６ｃを形成する例を示す。  
また、各接合は、接合部２５ｂと接合部２５ｃは、接合部２５ａと接合し、接合部２５ｄは、接合部２５ｅと接合する。
また、帯部２３は、吸収保持部２２や牽引部２４と共に異なる色や異なるデザインを組み合わせることで仕様に多様性を獲得することが出来る。
【００７８】
また、帯部３に形成される弾性部２６ｂ、２６ｃは、伸縮性弾性素材３１が使用され、身体への密着度を向上させることを目的とする。
また、弾性部２６ｂ、２６ｃは、部分的に形成するものを示しているが全体に形成しても良く幅や厚さなど特定するものでない。色やデザイン性をもとに変化にとんだ選択が出来る。
【００７９】
オムツの第三の問題点は、脚回りである。
テープ止タイプのオムツは、股領域を包み腰回りを強くテープ止めするので、腰部から脚部を圧迫固定する状態が脚部の動作を妨害し、寝返りなどに影響するなどの不快感を生じてしまう。
また、テープ止タイプのオムツは、使用者を寝かせた状態での装着、交換が求められ、大人への装着、交換には時間と手間、テクニックが必要とされる。特に横漏れ防止対策として股領域への密着の確実さやギャザーの正しい活用、正確なテープ止が求められている。
【００８０】
そこで、図５、図６に示すオムツ型下着構造２１は、排泄物を吸収保持する吸収保持部２２を股領域に密着させるために、背側部３５に牽引部２４で牽引し帯部２３と接合させ保持する使用形態が、足回りの締め付けを解消すると共に密着度を向上させる。
また、図５、図６に示すオムツ型下着構造２１は、吸収保持部２２、帯部２３、牽引部２４の各部を接合させて使用することを特徴とし、特に使用者の身体の状態に合わせて装着の順番を選択でき、各接合部で密着を調整しながら使用出来るので、装着、交換を容易にする。
【００８１】
まず、図５、図６に示す牽引部２４の説明をする。
牽引部２４は、吸収保持部２２と固着し牽引を確実にする構成である。
また、牽引部２４は、接合部２５ｅと弾性部２６ｄで構成される。
【００８２】
牽引部２４の接合部２５ｅは、帯部の接合部２５ｄと接合する。
また、接合部２５ｅは、面テープ３８で形成するが、形状や配置場所等特定するものではない。
また、吸収保持部２２だけを支持するので全体の重量が軽減され、牽引部２４に加わる負担も軽減されている。
【００８３】
また、牽引部２４に形成される弾性部２６ｄは、伸縮性弾性素材３１が使用され、身体に係合させ密着後を向上させることを目的とする。
また、弾性部２６ｄは、部分的に形成するものを示しているが全体に形成しても良く幅や厚さなど特定するものでない。色やデザイン性をもとに変化にとんだ選択が出来る。
【実施例３】
【００８４】
実施例３は、図７、図８を基に説明する。
図７は、本考案の下着構造１をパッドに適用する例を示すパット型下着構造４１の斜視図である。
図８は、図７のＺ−Ｚ線上の断面図である。
【００８５】
実施例３は、吸収保持部４２、帯部４３、牽引部４４で構成されるパット型下着構造４
１である。
まず、吸収保持部４２は、端縁部４８に弾性部４６ａを形成し、牽引部４４と固着し、さらに、帯部４３の片方と固着し、スリット部６０を形成している例を示す。
また、帯部４３は、吸収保持部４２の片方と固着し、他の片方に接合部４５ｂを設け、背側部５５に接合部４５ｃを設け、全体を弾性部４６ｂで形成している例を示す。
また、牽引部４４は、吸収保持部４２と固着され、接合部４５ｄと弾性部４６ｃで構成されている例を示す。
【００８６】
実施例３は、周知の失禁やチョイ漏れ対策パッドと比較し、新規の排泄物を吸収保持するパット型下着構造４１とする例を示し説明する。
【００８７】
近年、チョイ漏れ、失禁など排尿トラブルが増加している。
その対策として、各種の尿吸収パッドなどが使用されている。
また、尿吸収パッドは、下着の内側に装着させて使用し、吸収量に対応する仕様や臭いを防ぐ工夫、皮膚接触面の不快感の対策、汚れ対策などの機能を基に多種多様な物品が提供されている。
また、女性用では、ナプキン状の形状であり、男性用では、ペニスを包まない形状や包む形状である。
【００８８】
まず、尿吸収パッドの問題点は、生理用ナプキンの吸収量を向上させた使用形態である。
つまり、アンダーパンツとパッドの二重構造に問題がある。
【００８９】
アンダーパンツは、腹部から臀部を包む形状や圧迫する形状など多様に構成されている。また、アンダーパンツは、身体を動作する際に連動せず、アンダーパンツが身体上を移
動し変形するので、アンダーパンツの内側に装着しているパッドも移動し変形することで
密着が阻害される。
【００９０】
また、ブリーフ型、ボクサー型に使用するパッドは、座る際に臀部の部分が伸び後脚部の足回り部分を背側部に引き込みパッドがずれる。
さらに、座位から立位の際に後脚部の足回り部分がダブついてパッドが変形するので密着が阻害され横漏れを招きやすい。
また、トランクス型に使用するパッドは、主に男性が使用し、ペニスを包む形状や包まない形状のパッドをアンダーパンツの内側に装着する仕様形態では、排尿前後のチョイ漏れに対応出来ない。
また、男性が使用する際の抵抗感が不利に働き、さらに、取扱いが不慣れである。
【００９１】
そこで、図７、図８に示すパッド型下着構造４１は、排泄物を吸収保持する吸収保持部４２を股領域に牽引部４４で牽引し密着させる褌構造にしたので、男性が使用する際の抵抗感をなくし、女性が使用する際の漏れる不安から解放する。
さらに、使い捨ての使用形態が清潔性を保全し、洗濯の手間からの解放が経済性を向上させる。
【００９２】
また、図７、図８に示すパッド型下着構造４１は、吸収保持部４２、帯部４３、牽引部４４を形成し、各部を接合する構成にしたので、吸収保持部４２を牽引部４４で牽引することで股領域に密着させることを強化し、帯部４３で前後に支える褌状の使用形態が、足回りと臀部の部分を解放し、アンダーパンツが身体の動作に抵抗する構造の問題を解消する。
【００９３】
まず、図７、図８に示す吸収保持部４２の説明をする。
図７、図８に示す吸収保持部４２は、四層に形成された積層部４７を主体とし、縁端部４８に弾性部４６ａを形成し、接合部４５ａを設け帯部４３の接合部４５ｂと接合部４５ｃと接合し、牽引部４４と固着する例を示す。
【００９４】
また、図７、図８に示す積層部４７は、肌当接側部５６より撥水層４７ａ、第一吸水層４７ｂ、第二吸水層４７ｃ、防水層４７ｄで構成する例を示す。
また、撥水層４７ａは、肌に直接触れる部分でありサラサラ感を備える素材が好適である。
また、第一吸水層４７ｂは、高吸収性繊維素材３１を使用する例を示すが、吸水、抗菌、消臭、速乾機能など好適な機能が選択され使用される。
また、第二吸水層４７ｃは、高吸収性ポリマー素材５３を使用する例を示すが、吸水、消臭、速乾機能などを備える素材を好適に選択され使用される。
また、防水層４７ｄは、漏れを防止する機能を備える素材が好適に選択され使用される。
また、積層部４７は、四層のものを示すが限定するものではない。
【００９５】
次に、図７、図８に示すスリット部６０は、特に男性用に形成するものであり、限定するものではなく、形成しなくても良い。
また、スリット部６０は、吸収保持部４２に形成され、弾性部４６ｄがペニス収納時の尿的が外部へ漏れることを防止する。
この際に、ギャザー部５９が漏れや尿滴を吸収する。
また、スリット部６０は、吸収保持部４２の中央線上に形成していないが、特定するものではなく、位置、長さなど限定はしない。
また、スリットの形成は、周知の構造である。
【００９６】
また、図７、８に示す積層部２７の素材は、周知の素材を好適に選択し組み合わせれば良く、ここで特定も限定もしない。
【００９７】
次に、図７、図８に示す吸収保持部４２の縁端部４８に形成される弾性部４６ａの説明をする。
図７、８図に示す弾性部４６ａは、吸収保持部４２の縁端部４８に形成され、伸縮性弾性素材４１を使用し、吸収保持部２２を股領域に密着させると共に漏れを防止することを目的とするものである。
また、弾性部４６ａは、使用者の肌に優しくフィットする素材が好適である。
また、弾性部４６ｄは、伸縮性弾性素材４１を使用し、ペニスの収納状態を保持する。
【００９８】
次に、図７、８図に示す吸収保持部４２に設ける接合部４５の説明をする。
図７、図８に示す吸収保持部４２に設ける接合部４５は、面テープ５８で形成され、非肌当接側５７に設け４５ａで示すが、形状や配置場所等特定するものではない。
また、接合部４５ａは、帯体４３の接合部４５ｂと接合し、牽引部４４の接合部４５ｄは、帯部４３の接合部４５ｃ及び接合部４５ｄと接合する。
【００９９】
次に、図７、図８に示す帯部７３の説明をする。
帯部７３は、不織布５０で形成され帯状をなし先端部片方に接合部４５ｂ設け、ほぼ全体を弾性部４６ｂで形成し、他の片方は吸収保持部４２と固着される例を示す。  
また、帯部４３の接合部４５ｂは、吸収保持部４２の接合部４５ａと接合し、接合部４５ｃは、牽引部４４の接合部４５ｄと接合する。
また、帯部４３は、吸収保持部４２や牽引部４４と共に異なる色や異なるデザインを組み合わせることで仕様に多様性を獲得することが出来る。
【０１００】
また、帯部４３に形成される弾性部４６ｃは、伸縮性弾性素材５１が使用され、身体への密着度を向上させることを目的とする。
また、弾性部４６ｃは、部分的に形成するものを示しているが全体に形成しても良く幅や厚さなど特定するものでない。色やデザイン性をもとに変化にとんだ選択が出来る。
【０１０１】
また、帯部４３に設ける二か所の接合部４５ｂ、接合部４５ｃは、面テープ５８で形成するが形状や配置場所等特定するものではない。
【０１０２】
次に、図７、図８に示す牽引部４の説明をする。
牽引部４４は、吸収保持部４２と固着し牽引を確実にする構成である。
また、牽引部４４は、接合部４５ｄと弾性部４６ｃで構成される。
【０１０３】
牽引部４４の接合部４５ｄは、帯部の接合部４５ｃと接合する。
また、接合部４５ｄは、面テープ５８で形成するが、形状や配置場所等特定するものではない。
また、吸収保持部４２だけを支持するので全体の重量が軽減され、牽引部４に加わる負担も軽減されている。
【０１０４】
また、牽引部４４に形成される弾性部４６ｃは、伸縮性弾性素材５１が使用され、身体に係合させ密着度を向上させることを目的とする。
また、弾性部４６ｃは、部分的に形成するものを示しているが全体に形成しても良く幅や厚さなど特定するものでない。色やデザイン性をもとに変化にとんだ選択が出来る。
【産業上の利用可能性】
【０１０５】
本考案の下着構造は、周知の素材を基に新規の下着市場を提供するものである。
本考案の下着構造は、アンダーパンツと褌の機能を融合させ、穿く行為から装着する使用形態への転換を図り、下着市場の新分野を創設する。
次に、今日までの下着は、洗濯を前提として来たが、使い捨てオムツの便利性が支持されたように、チョイ漏れ用の使い捨て下着と言う新規の市場を出現させる。
また、現状のテープ止めタイプのオムツやパンツ型オムツの市場に、新規の褌型オムツの市場を加えることで、使い捨てオムツ市場を活性化するものである。
【符号の説明】
【０１０６】
１・・・下着構造
２・・・吸収保持部
３・・・帯部
４・・・牽引部  
５・・・接合部
５ａ・・接合部
５ｂ・・接合部
５ｃ・・接合部
５ｄ・・接合部
５ｅ・・接合部
５ｆ・・接合部
５ｇ・・接合部
５ｈ・・接合部
６・・・弾性部
６ａ・・弾性部  
６ｂ・・弾性部  
６ｃ・・弾性部  
６ｄ・・弾性部  
７・・・積層部
７ａ・・撥水層
７ｂ・・第一吸水層
７ｃ・・第二吸水層
７ｄ・・防水層
８・・・端縁部
９・・・固着部
１０・・布帛
１１・・伸縮性弾性素材
１２・・高吸収性繊維素材
１３・・高吸収性ポリマー素材
１４・・腹側部
１５・・背側部
１６・・肌当接側部
１７・・肌非当接側部
１８・・面ファスナー
２１・・オムツ型下着構造
２２・・吸収保持部
２３・・帯部
２４・・牽引部  
２５・・接合部
２５ａ・接合部
２５ｂ・接合部
２５ｃ・接合部
２５ｄ・接合部
２５ｅ・接合部
２６・・弾性部
２６ａ・弾性部  
２６ｂ・弾性部  
２６ｃ・弾性部  
２６ｄ・弾性部  
２７・・積層部
２７ａ・撥水層
２７ｂ・第一吸水層
２７ｃ・第二吸水層
２７ｄ・防水層
２７ｅ・凸凹部
２８・・端縁部
２９・・固着部
３０・・不織布
３１・・伸縮性弾性素材
３２・・高吸収性繊維素材
３３・・高吸収性ポリマー素材
３４・・腹側部
３５・・背側部
３６・・肌当接側部
３７・・肌非当接側部
３８・・面テープ
３９・・ギャザー部
４１・・パッド型下着構造
４２・・吸収保持部
４３・・帯部
４４・・牽引部  
４５・・接合部
４５ａ・接合部
４５ｂ・接合部
４５ｃ・接合部
４５ｄ・接合部
４６・・弾性部
４６ａ・弾性部  
４６ｂ・弾性部  
４６ｃ・弾性部    
４７・・積層部
４７ａ・撥水層
４７ｂ・第一吸水層
４７ｃ・第二吸水層
４７ｄ・防水層
４８・・端縁部
４９・・固着部
５０・・不織布
５１・・伸縮性弾性素材
５２・・高吸収性繊維素材
５３・・高吸収性ポリマー素材
５４・・腹側部
５５・・背側部
５６・・肌当接側部
５７・・肌非当接側部
５８・・面テープ
５９・・ギャザー部
６０・・スリット部
【図１】
0003205471.tif 000003
【図２】
0003205471.tif 000004
【図３】
0003205471.tif 000005
【図４】
0003205471.tif 000006
【図５】
0003205471.tif 000007
【図６】
0003205471.tif 000008
【図７】
0003205471.tif 000009
【図８】
0003205471.tif 000010